(57)【要約】【課題】パネルにワイヤハーネスを仮置きできる部品を提供する。【解決手段】ワイヤハーネスに粘着テープで巻き付けるテープ巻き部あるいはバンドを巻き付けて締結するタイバンド部からなるワイヤハーネス取付部分と、該ワイヤハーネス取付部分と連続して設けられるパネル仮止め部分とを備え、該パネル仮止め部分は先端に係止爪を設けた支持片または中間部に屈曲させた弾性押圧部を設けた支持片を備え、該支持片を前記パネルの空いた穴または溝に挿入して仮取付できる構成としている。【選択図】図３
2011245974.tif 000002
【特許請求の範囲】
【請求項１】
車両に配索されるワイヤハーネスを、該車両に設置されるパネルあるいは車体パネルに仮置きするための樹脂成形品からなる仮置き部品であって、
前記ワイヤハーネスに粘着テープで巻き付けるテープ巻き部あるいはバンドを巻き付けて締結するタイバンド部からなるワイヤハーネス取付部分と、該ワイヤハーネス取付部分と連続して設けられるパネル仮止め部分とを備え、
前記パネル仮止め部分は、先端に係止爪を設けた支持片または中間部に屈曲させた弾性押圧部を設けた支持片を備え、該支持片を前記パネルの空いた穴または溝に挿入して仮取付できる構成としていることを特徴とするワイヤハーネス用の仮置き部品。
【請求項２】
前記パネル仮止め部分は、一対の支持片を対向して備え、
前記一対の支持片の一方は前記先端に係止爪を設けた支持片とし、
または、一対の支持片を弾性支持片とし、その中間部に互いに近接する方向へ屈曲させた前記弾性押圧部を設け、
前記一方の支持片を前記パネルの空きの穴または溝に挿入して、該穴周縁に前記係止爪を係止し、または前記穴または溝の内周面に前記弾性支持片の弾性押圧部を圧接し、
他方の前記支持片を前記パネルの空きの穴または溝と周辺部を挟んで位置するパネルの端面に沿って配置して、該周辺部を挟持する構成としている請求項１に記載のワイヤハーネス用の仮置き部品。
【請求項３】
前記ワイヤハーネス取付部分または該ワイヤハーネス取付部分と前記パネル仮止め部分の連結部分から突設される本固定用のクリップヘッドを備えている請求項１または請求項２に記載のワイヤハーネス用の仮置き部品。
【請求項４】
前記ワイヤハーネス取付部分に連続させてワイヤハーネスを挿通するプロテクタ部を設け、該プロテクタの側壁外面からＬ形状のパネル仮止め部分を突設し、前記プロテクタの側壁と平行となる前記パネル仮止め部分の突出側部を前記支持片とし、先端に係止爪を設けている請求項１に記載のワイヤハーネス用の仮置き部品。
【発明の詳細な説明】
【技術分野】
【０００１】
本発明はワイヤハーネス用の仮置き部品に関し、詳しくは、自動車に配索するワイヤハーネスを予め配索箇所に仮置きする際に、該配索箇所に着脱自在に係止してワイヤハーネスを仮置きできるようにするものである。
【背景技術】
【０００２】
自動車に配索するワイヤハーネスのうち、インストルメントパネルやコンソールパネル等の大型パネルに配索するワイヤハーネスは、前記大型パネルと共に搬送車で自動車組立ラインへ搬送される場合がある。該搬送時に、搬送車の荷台等にワイヤハーネスが巻き込まれる可能性があり、また、ワイヤハーネスが垂れ下がっているとワイヤハーネスの電線に接続したコネクタを作業員が踏み潰す恐れがあるため、大型パネル上に仮置きしてワイヤハーネスやコネクタが垂れ下がらないようにしている。自動車組立ラインでワイヤハーネスの大型パネルから仮置きを解き、前記インパネ等のパネルおよび車体パネルのクリップ穴に、ワイヤハーネスに取り付けているクリップを順次挿入係止してワイヤハーネスをパネルに本固定している。
【０００３】
例えば、インストルメントパネル等の大型パネルへのワイヤハーネスの仮置きは、図１１に示すように、ワイヤハーネスＷ／Ｈで輪Ｗ／Ｈ−Ｋをつくり、該輪をパネルＰの適宜な突出部分Ｐａに引っ掛け、該突出部分ＰａからワイヤハーネスＷ／Ｈが抜け出にくいように、荷姿止めテープＴをワイヤハーネスＷ／Ｈに巻き付けて、前記輪Ｗ／Ｈ−Ｋが解けないようにし、ワイヤハーネスＷ／ＨのコネクタＣを吊り上げて保持している。ワイヤハーネスの仮置き箇所に応じて、前記荷姿止めテープＴの代わりに紐を巻き付けて結んだり、面ファスナーテープを用いる場合もある。あるいは、洗濯バサミを用いてワイヤハーネスとパネルとを挟持する場合もある。
【０００４】
前記ワイヤハーネスの仮置き部品として用いられている粘着テープや紐は、伸びてワイヤハーネスが垂れ下がり、仮置き位置にしっかりと保持できない場合がある。また、粘着テープや紐等はワイヤハーネスがパネルに本固定される際に取り外す必要があり、取り外し作業が必要となり、かつ、これらがゴミとして自動車内に残留する場合もあり、管理、回収作業が必要となる問題がある。
【０００５】
また、ワイヤハーネスを仮置きできるものとして、実公平４−２８２５５号公報で、インストルメントパネルに取り付ける電子機器に接続されるワイヤハーネスを、インストルメントパネルに設けた溝に挿通し、該溝の形状でワイヤハーネスの余長部分を弛ませて仮保持するインストルメントパネルが提案されている。
しかしながら、インストルメントパネル等にワイヤハーネスを仮置きできる仮置き部分を設ける必要がある。該仮置き部分が無い既存のパネルにワイヤハーネスを仮置きする場合には、図１１に示すようにテープや紐を用いなければならない。
【０００６】
なお、インストルメントパネルやコンソールパネル等の自動車内に設置される大型パネルにワイヤハーネスを配索する場合に限らず、自動車の車体パネルのフロアパネルに沿って配索するフロアハーネスや、エンジンルーム内に配索するエンジンルームハーネス（所謂フロントハーネス）等のワイヤハーネスを、自動車組立ラインで車体パネルにクリップを介して固定して直接配索する場合にも、配索工程でワイヤハーネスが車体パネルからぶら下がら無いように車体パネル等にワイヤハーネスを仮置きすることが好ましい場合もある。
【先行技術文献】
【特許文献】
【０００７】
【特許文献１】実公平４−２８２５５号公報
【発明の概要】
【発明が解決しようとする課題】
【０００８】
本発明は前記問題に鑑みてなされたもので、パネル側にワイヤハーネスの仮置き部を設ける必要はなく、かつ、ワイヤハーネスを仮置き箇所にテープ、紐等を用いて仮置きせず、ワイヤハーネスをパネルにワンタッチで仮置き及び仮置き箇所から取り外しができる仮置き部品を提供することを課題としている。
【課題を解決するための手段】
【０００９】
前記課題を解決するため、本発明は、車両に配索されるワイヤハーネスを、該車両に設置されるパネルあるいは車体パネルに仮置きするための樹脂成形品からなる仮置き部品であって、
前記ワイヤハーネスに粘着テープで巻き付けるテープ巻き部あるいはバンドを巻き付けて締結するタイバンド部からなるワイヤハーネス取付部分と、該ワイヤハーネス取付部分と連続して設けられるパネル仮止め部分とを備え、該パネル仮止め部分は先端に係止爪を設けた支持片または中間部に屈曲させた弾性押圧部を設けた支持片を備え、該支持片を前記パネルの空いた穴または溝に挿入して仮取付できる構成としていることを特徴とするワイヤハーネス用の仮置き部品を提供している。
【００１０】
前記パネル仮止め部分は、車両に設置されるパネルまたは車体パネルの空いている適宜の穴または溝を利用して取り付けられるようにしている。
【００１１】
前記パネル仮止め部分は、一対の支持片を対向して備え、
前記一対の支持片の一方は前記先端に係止爪を設けた支持片とし、
または、一対の支持片を弾性支持片とし、その中間部に互いに近接する方向へ屈曲させた前記弾性押圧部を設け、
前記一方の支持片を前記パネルの空きの穴または溝に挿入して、該穴周縁に前記係止爪を係止し、または前記穴または溝の内周面に前記弾性支持片の弾性押圧部を圧接し、
他方の前記支持片を前記パネルの空きの穴または溝と周辺部を挟んで位置するパネルの端面に沿って配置して、該周辺部を挟持する構成としている。
【００１２】
即ち、前記一対の支持片の一方は前記先端に係止爪を設けた支持片とし、該支持片を前記パネルの空きの穴または溝に挿入して、該穴周縁に前記係止爪を係止する一方、他方の支持片を前記パネルの空きの穴または溝と周辺部を挟んで位置するパネルの端面に沿って配置して、該周辺部を挟持する構成としている。
または、一対の支持片の中間部に互いに近接する方向へ屈曲させた弾性押圧部を設けて、これら一対の支持片を弾性支持片とし、一方の弾性支持片の弾性押圧部で前記パネルの空いた穴または溝の内周面を圧接すると共に、他方の弾性支持片の弾性押圧部で前記パネルの空きの穴または溝と周辺部を挟んで位置するパネルの端面に沿って圧接させ、該周辺部を弾性押圧部で弾性挟持する構成としている。
ワイヤハーネス取付部分をタイバンド部とし、バンド締結用の本体部と該本体部から突出するバンドを備えた形状とする場合、前記本体部を前記パネル仮止め部分の一方の支持片として利用してもよい。
【００１３】
パネル側にはクリップ取付穴、ボルト穴、他部材の挿通穴など他の目的で多数の穴や溝が設けられている。ワイヤハーネスの仮置き時に、これらの穴または溝は本来の用途にまだ用いられておらず、空き状態となっている場合が多い。よって、これらの空いた穴または溝があればワイヤハーネスの仮置き箇所として利用できる。
即ち、ワイヤハーネスは仮置きしておくだけであるため、ワイヤハーネスの仮置き位置は限定されず、パネルの穴があいている位置や溝がある位置にパネル仮止め部分を係止して取り付けることができる。
【００１４】
本発明の仮置き部品は、ワイヤハーネスをパネルに本固定する際には、パネル仮止め部分はパネルの穴や溝から取り外される。仮置き位置から取り外された後に、仮置き部品をワイヤハーネスから取り外して回収し再利用しても良いが、ワイヤハーネスに取り付けたままにしておくと取り外し作業を不要にできる。いずれの場合も、ワイヤハーネスから外れたテープやバンドだけが車両内にゴミとして残留することはない。
かつ、粘着テープあるいはバンドを用いてワイヤハーネスに取り付けるため、ワイヤハーネス径が大小相違しても共用することができる。
【００１５】
本発明の仮置き部品は、仮置きの目的のみに用いられる形状としてもよいし、パネルのクリップ取付穴に挿入係止してワイヤハーネスをパネルに本固定するクリップヘッドを一体に設けてもよい。この場合、言い換えれば、バンドクリップあるいはテープ巻きの基板型クリップに前記パネル仮止め部分が一体に設けられた構成となる。  
該クリップ一体型とする場合、クリップ取付位置にバンドあるいは粘着テープを用いて仮置き部品を固定しており、仮置き時には、パネル仮止め部分を用いてパネルの適宜な空いた穴や溝に係止しておき、ワイヤハーネスをパネルに本固定する時には仮置き箇所から外して、本固定位置のクリップ穴に挿入係止するものとしている。
【００１６】
さらに、前記ワイヤハーネス取付部分を延長して、ワイヤハーネスの保護および経路規制を行うプロテクタ部分を設けてもよい。具体的には、ワイヤハーネス取付部分に連続させてワイヤハーネスを挿通するプロテクタ部を設け、該プロテクタの側壁外面からＬ形状のパネル仮止め部分を突設し、前記プロテクタの側壁と平行となる前記パネル仮止め部分の突出側部を前記支持片とし、先端に係止爪を設けている。
言い換えれば、ワイヤハーネス用のプロテクタにパネル仮止め部分を設けている。
なお、プロテクタに限らず、ワイヤハーネスに組つけられるコネクタホルダー、コネクタカバー、小型電気接続箱のケース等の外面から前記パネル仮止め部分を突設してもよい。
【発明の効果】
【００１７】
前述したように、本発明に係わるワイヤハーネス用の仮置き部品は、パネルの空いている穴あるいは溝があれば、どこにでもワンタッチで取り付けることができる。よって、パネル側にワイヤハーネスの仮置き用の部分を設ける必要はない。
また、本発明の仮置き部品のパネル仮止め部分は穴や溝にワンタッチで取り付けることが出来ると共に、仮置き状態でしっかりと保持でき、粘着テープで仮置き位置に保持している場合に粘着テープの伸びで発生するワイヤハーネスの垂れ下がりを防止できる。かつ、仮止め位置からワンタッチで取り外すこともできる。
さらに、ワイヤハーネスには粘着テープやバンドで取り付けるワイヤハーネス取付部分を設けているため、ワイヤハーネス径が相違しても共用することができる。
【図面の簡単な説明】
【００１８】
【図１】第１実施形態の仮置き部品をインストルメントパネルハーネスに取り付けた状態を示す概略図である。
【図２】（Ａ）は仮置き部品の斜視図、（Ｂ）は仮置き部品をワイヤハーネスに取り付けた状態の部分拡大斜視図である。
【図３】（Ａ）は仮置き部品をパネルの穴に取り付けた状態を示す斜視図、（Ｂ）は縦断面図、（Ｃ）はパネルの穴と仮置き部品の仮止め部分との位置関係を示す図面である。
【図４】第２実施形態の仮置き部品を示し、（Ａ）は斜視図、（Ｂ）は正面図である。
【図５】第２実施形態の仮置き部品をワイヤハーネスに取り付けてパネルの穴に取り付けた状態を示す断面図である。
【図６】第３実施形態の仮置き部品の断面図である。
【図７】第４実施形態の仮置き部品の斜視図である。
【図８】（Ａ）は第４実施形態の仮置き部品をワイヤハーネスに取り付けた状態の斜視図、（Ｂ）は断面図である。
【図９】第４実施形態の変形例の仮置き部品をワイヤハーネスに取り付けた状態の斜視図である。
【図１０】第５実施形態の仮置き部品の斜視図である。
【図１１】従来例を示す図面である。
【発明を実施するための形態】
【００１９】
以下、本発明の実施形態を図面を参照して説明する。
図１乃至図３に第１実施形態のワイヤハーネス用の仮置き部品を示す。
第１実施形態のワイヤハーネス１は自動車のインストルメントパネル（以下、パネルと略称する）２に配索するインパネハーネスである。該インパネハーネスからなるワイヤハーネス１は多数の電線群からなり、幹線３から多数の支線４Ａが分岐し、該支線４Ａから枝線４Ｂが分岐し、各支線４Ａや枝線４Ｂの端末にコネクタ５が接続されると共に、所要間隔をあけてパネル固定用のクリップ６が取り付けられている。該インパネハーネスは自動車に配索されるワイヤハーネスのうちでも大型のワイヤハーネスである。
【００２０】
本実施形態のインパネハーネスからなるワイヤハーネス１は、パネル２に仮置きした状態で自動車組立ラインへと搬送される。仮置き状態において、自動車組立ラインでワイヤハーネス１をパネル２の本固定位置から移動させる必要が無い位置では、パネル２に設けたクリップ穴にワイヤハーネス１に取り付けたクリップ６を挿入係止して固定している。自動車組立ラインでワイヤハーネス１を移動させる必要がある領域ではワイヤハーネス１をパネル２に本固定しておらず、パネル２から簡単に取り外せる仮置き状態としている。
【００２１】
ワイヤハーネス１には、パネル２に本固定されない比較的長い領域で且つパネルからワイヤハーネスがぶら下がり状態となる領域に、図２および図３に示す仮置き部品１０をワイヤハーネス１に取り付けている。
該仮置き部品１０は樹脂成形品からなり、Ｌ形状の基板１５の一側部をワイヤハーネス取付部分１１とし、他側部をパネル仮止め部分１２としている。
ワイヤハーネス取付部分１１の長方形状の平板部分をテープ巻き部分１１ａとし、その先端にテープ止めリブ１１ｂを突設している。
他側部のパネル仮止め部分１２では基板１５から一対の支持片１２ａ、１２ｂを対向して突設している。外側の支持片１２ｂの先端に係止爪１２ｃを突設し、他方の支持片１２ａの根元に補強部１２ｄを設けている。
【００２２】
前記仮置き部品１０は図２（Ｂ）に示すように、ワイヤハーネス取付部分１１のテープ巻き部分１１ａをワイヤハーネス１の上面に乗せ、粘着テープＴを巻き付けて固着している。
【００２３】
仮置き部品１０を所要位置に取り付けたワイヤハーネス１をパネル２に仮置きする際、係止爪１２ｃを設けた一方の支持片１２ｂをパネル２の空いている穴２ｈに挿入し、該穴２ｈの周縁に係止爪１２ｃを係止する。他方の支持片１２ａを穴２ｈの周辺部２ｓを挟んでパネル２の端面２ｅに当接させる。これにより、支持片１２ａと１２ｂで穴２ｈの周辺部２ｓを挟持すると共に、係止爪１２ｃで穴２ｈに係止することで、パネル２に仮置き部品１０を介してワイヤハーネス１が仮置きされる。
即ち、支持片１２ａと１２ｂで丁度挟まれる周辺部２ｓを有する空いた穴２ｈがあれば、どこの穴でも仮置き部品１０を取り付ける事ができる。
【００２４】
搬送してきたパネル２を自動車内に設置した後、ワイヤハーネス１に取り付けたクリップ６をパネル２および車体パネルのクリップ穴に挿入係止して本固定していく。其の際、仮置き部品１０のパネル仮止め部分１２の係止爪１２ｃを穴２ｈの周縁から外し、支持片１２ｂを穴２ｈから抜き出すだけで、ワイヤハーネス１をパネル２の仮置き位置からワンタッチで外すことができる。
【００２５】
パネル２の仮置き位置から取り外した仮置き部品１０はワイヤハーネス１から取り外さずにつけたままにしておくことが好ましい。これは、取り外すためには粘着テープＴを剥がす必要があり、作業工程が増えると共に、剥がされた粘着テープＴがゴミとなって自動車内に残留して異音発生の要因になる恐れがあることによる。なお、粘着テープを剥がしてワイヤハーネスから取り外し、再利用しても良い事は言うまでもない。
【００２６】
図４及び図５に第２実施形態の仮置き部品を示す。
第２実施形態の仮置き部品２０はワイヤハーネス取付部分２１をタイバンド部としている点が第１実施形態と相違する。
ワイヤハーネス取付部分２１は、バンド締結用の四角筒状の本体部２４と、該本体部２４から突出するバンド２５を備えたタイバンド部としている。ワイヤハーネス１に巻き付けたバンド２５を挿通する貫通穴２４ａを本体部２４内に設け、かつ、該貫通穴２４ａに向けて係止片（図示せず）を突設し、バンド２５の係止溝２５ａに係止するようにしている。
【００２７】
前記四角筒状の本体部２４の左右側壁２４ｃと２４ｄを下向きに屈折させて基板２６とし、該基板２６の下端間を底板２７で連結し、該底板２７の前端よりパネル仮止め部分２２となる支持片２８を突設している。該支持片２８の先端に係止爪２９を突設すると共に、該支持片２８を本体部２４の下壁２４ｆと平行配置している。即ち、本体部２４は支持片２８の対向する挟持部を構成するものとしている。
【００２８】
前記仮置き部品２０は図５に示すように、ワイヤハーネス１の下側に本体部２４を配置し、バンド２５をワイヤハーネス１に巻き付けた後に、本体部２４の貫通穴に通して係止し、ワイヤハーネス１に固定している。
パネル２への仮置きは、係止爪２９を設けた支持片２８をパネル２の空いている穴２ｈに挿入し、該穴２ｈの周縁に係止爪２９を係止する。他方の支持片に相当する本体部２４を穴２ｈの周辺部２ｓを挟んでパネル２の端面２ｅに当接させる。これにより、支持片２８と本体部２４で穴２ｈの周辺部２ｓを挟持すると共に、係止爪２９で穴２ｈに係止することで、パネル２に仮置き部品２０を介してワイヤハーネス１は仮置きすることができる。
仮置き部品２０の取り外し等は第１実施形態と同様であるため、説明を省略する。
【００２９】
図６に第３実施形態を示す。
第３実施形態は、第２実施形態の仮置き部品２０にパネル２に本固定するためのクリップヘッド３０を一体に設けている。
即ち、前記基板２６に背面板部３２を設け、該背面板部３２から車体係止用のクリップヘッド３０を突設している。該クリップヘッド３０は皿部３４を背面板部３２から突設し、皿部３４の中央から軸部３５を突設し、軸部３５の先端から折り返し状に一対の羽根部３６を突設し、羽根部３６の先端に係止段部３７を設けている。
仮置き部品２０の他の構成は第２実施形態と同様でパネル仮止め部分２２を備え、同一符号を付して説明を省略する。
【００３０】
前記仮置き部品２０は、ワイヤハーネス１のクリップ取付位置に予め前記バンド２５を用いて締結して固定している。ワイヤハーネス１のパネル２への仮置き時には、ワイヤハーネス１にぶら下がりが発生しない位置で且つ空いた穴２ｈに支持片２８を挿入して第２実施形態と同様に仮置きしている。仮置き位置から外して、ワイヤハーネス１をパネル２に本固定する際に、クリップヘッド３０を所定の本固定用のクリップ穴に挿入係止している。
【００３１】
なお、第１実施形態のテープ巻きタイプの仮置き部品にもクリップを突設してもよい。
また、クリップを予め一体成形して突設する代わりに、クリップ取付穴を設けておき、後付けでクリップをクリップ取付穴に取り付けてもよい。
【００３２】
図７及び図８に第４実施形態を示す。
第４実施形態の仮置き部品２０は第２実施形態と同様にワイヤハーネス取付部分２１はタイバンド部としているが、パネル仮止め部分２２の構成を変えている。
即ち、ワイヤハーネス取付部分２１のバンド締結用の本体部２４から一対の弾性支持片３３、３４を突設している。該弾性支持片３３、３４は対称的に湾曲した形状とすると共に中間部に互いに近接する方向に屈曲させた弾性押圧部３３ａ、３４ａを設け、該弾性押圧部３３ａ、３４ａの間で挟持するようにしている。
【００３３】
該仮置き部品２０のパネル２への取り付けは、パネル２の溝２ｍに一方の弾性支持片３３を挿入して、弾性押圧部３３ａを溝２ｍの内周面に圧接し、他方の弾性支持片３４を溝２ｍと周辺部２ｓを挟んで対向するパネル２の端面２ｅに沿って配置すると共に弾性押圧部３４ａを圧接し、弾性支持片３３、３４の弾性押圧部３３ａ、３４ａで弾性挟持している。なお、他の実施形態と同様にパネル２の空いた穴に取り付けてもよい。
【００３４】
図９に第４実施形態の変形例を示す。
変形例では図示のように、ワイヤハーネス取付部分１１を第１実施形態と同様に粘着テープで巻き付けるテープ巻き部とし、該ワイヤハーネス取付部分１１から第４実施形態と同様な一対の弾性支持片３３、３４を突設したパネル仮止め部分２２を設けている。前記弾性支持片３３、３４には互いに近接する方向に屈曲させた弾性押圧部３３ａ、３４ａを設けている。
他の構成および作用は第４実施形態と同様であるため、同一符号を付して説明を省略する。
【００３５】
図１０に第５実施形態を示す。
第５実施形態では、仮置き部品４０は粘着テープＴでワイヤハーネス１に巻き付けて取り付けるタイプとし、かつ、テープ巻き部分とするワイヤハーネス取付部分４１を延在させてワイヤハーネス１を囲む樋形状としたプロテクタ部４３を設けている。該プロテクタ部４３の一方の側壁４３ａからＬ形状に支持片４２を突設し、該支持片４２の突出側部４２ａを側壁４３ａと平行配置すると共に、先端に係止爪４２ｂを設け、該支持片４２との間にパネル仮止め部４４を形成している。また、プロテクタ部４３の他方の側壁４３ｂからは車体係止用クリップ（図示せず）を突設したブラケット部４５を設けている。さらに、ワイヤハーネス１を挿通した後にプロテクタ部４３にかぶせる蓋４８を設けている。
該第５実施形態は、言わば、プロテクタの側壁にＬ形状の支持片４２からなるパネル仮止め部分４４を突設した形状としている。
【００３６】
この第５実施形態の仮置き部品４０はワイヤハーネス１のプロテクタで保護および経路規制する必要がある領域にテープ巻きで取り付けている。パネル２に仮置きする際には空いている穴２ｈに支持片４２を挿入して仮止めしている。パネル２にワイヤハーネス１を本固定する際には穴２ｈから支持片４２を取り出して、プロテクタ部４３で保護した部分を本来の配索領域に配索している。
【００３７】
このように、ワイヤハーネス１に取り付ける必要があるプロテクタで、かつ、新規に金型を製作して製造する場合には、プロテクタに仮止め部分を設けておくことが好ましい。
【００３８】
前記プロテクタに限定されず、ワイヤハーネスに取り付ける新規部品である場合、該部品の外面に前記第１〜第５実施形態のパネル仮止め部分を突設すると、パネルに簡単かつ確実に仮置きすることができる。
【００３９】
また、前記実施形態では、いずれもインパネにインパネハーネスを仮置きしているが、ワイヤハーネスを自動車組み立てラインで車体パネルに直接に固定して配索する場合にも適用できる。即ち、該ワイヤハーネスに前記仮置き部品を取り付けておくと、ワイヤハーネスを車体パネルに沿ってクリップを介して固定していく配索時に、ワイヤハーネスの全体を車体パネルや車体パネルに沿って設置される大型部品の空いている穴や溝に前記仮置き部品のパネル仮止め部分を挿入して垂直面に仮置きしておくことができる。これにより、作業員が下方に垂れたワイヤハーネスを踏みつけて損傷が生じるのを防止できる。
【符号の説明】
【００４０】
１  ワイヤハーネス
２  パネル（インストルメントパネル）
２ｈ  穴
２ｓ  周辺部
２ｅ  端面
３  幹線
４Ａ  支線
４Ｂ  枝線
６  クリップ
１０、２０、４０  仮置き部品
１１  ワイヤハーネス取付部分
１２  パネル仮止め部分
１２ａ、１２ｂ  支持片
１２ｃ  係止爪
３０  クリップヘッド
３３、３４  弾性支持片
３３ａ、３４ａ  弾性押圧部
【図１】
2011245974.tif 000003
【図２】
2011245974.tif 000004
【図３】
2011245974.tif 000005
【図４】
2011245974.tif 000006
【図５】
2011245974.tif 000007
【図６】
2011245974.tif 000008
【図７】
2011245974.tif 000009
【図８】
2011245974.tif 000010
【図９】
2011245974.tif 000011
【図１０】
2011245974.tif 000012
【図１１】
2011245974.tif 000013